(57)【要約】      （修正有）【課題】スカートそのものが本来そのままの姿で持つ女性の美、スコットランド地方のスカートを中心とした男性美、そのものの表現と、激しい世間の偏見その他の荒波からの脱出、これが今回の課題である。【解決手段】各自の標準サイズか、標準サイズよりやや大きめの、スカートの正面か裏面の内側、中心線上に、ボタン２を１個か数個着けて置き、該ボタンを着けた反対側の中心線上に、ボタン穴１を設けることを特徴とする留め具付きスカート。【選択図】図１
2011099194.tif 000002
【特許請求の範囲】
【請求項１】
各自の標準サイズか、標準サイズよりやや大きめの、スカートの正面か裏面の内側、中心線上に、ボタン（２）を１個か数個着けて置き、該ボタンを着けた反対側の中心線上に、ボタン穴（１）を設けることを特徴とする留め具付きスカート。
【請求項２】
各自の標準サイズか、標準サイズよりやや大きめの、スカートの正面か裏面の外側、中心線上に、先端からボタン（２）かボタン穴（１）を１個か複数個着けた紐を末端で新たなボタン（５）とボタン穴（１）を用い唯一点のみを拘束することとし、該ボタン（２）かボタン穴（１）を１個か２個か複数個着けた紐のある側と、反対側のスカートの正面か裏面の外側、中心線上に、それぞれボタン穴（１）かボタン（２）を１個か２個か複数個設けることを特徴とする留め具付きスカート。
【請求項３】
請求項２に記載したスカートを通常のスカートとして用いる場合のために、前記の「紐」（４）をふら付かせない為、一枚の「紐」の裏表２箇所にボタン（５）を用意し、それぞれ用に２個ボタン穴（１）を用意することを特徴とする留め具付きスカート。
【請求項４】
請求項１に記載したスカートの正面と裏面の内側、中心線上に、下から、片方はスカートの記事の表面から裏側を操作できるよう、ファスナーのスライダーの引き手とその動く範囲をスカートの表面にも出して置いた一対のファスナーと、
ファスナーの終わる地点付近に、必要に応じて対のボタンとボタン穴をつけておき、該両面のファスナーとボタンを着け外しすることを特徴とする留め具付きスカート。
【発明の詳細な説明】
【技術分野】
【０００１】この発明は、女性の服装としてスカートの持つ優美さ、優しさとズほボンの持つ実用性を併せ持った、服装の技術の改良に関するものである。
【背景技術】
【０００２】従来より、女性の美しさ、優しさを強調する一手段としてスカートはその持つ機能を十分に発揮してきたが、反面、本来スカートには概ね明治以来の極々浅薄な係わりしか持ち得ない筆者のような者ながら、実に一世紀以上の付き合いを経てその幾多の良い所を学び、共有すると同時に捲れ易いなどの短所も又自ずと指摘されるのを耳にしここ最近に限って云えば、使用頻度の面で、ズボンに押され始めているというのが現状である。
【先行技術文献】
【特許文献】
【０００３】
【特許文献１】特許出願２００４−６２９２９
【特許文献２】特許出願平１０−１２５１８１
【非特許文献】
【０００４】
【非特許文献１】
【非特許文献２】
【発明の概要】
【発明が解決しようとする課題】
【０００５】  スカートとズボンの違いは突き詰めて考えれば、裾の部分が一つか二つかという点に集約することも可能である。
つまり、端的に云えば、スカートとズボンの違い、差異はその下方部分を一つのままにしておくか、二つに分けるかである、と言う事も出来る。
本件発明では、外観はスカートそのものであるか少し大きめのそれ自身、にもかかわらず、不意に来る突風等にも、十分耐え得るスカートを提案する。
【課題を解決するための手段】
【０００６】各自の標準サイズか、標準サイズよりやや大きめの、スカートの正面か裏面の内側、中心線上に、ボタン（２）を１個か数個着けて置き、該ボタンを着けた反対側の中心線上に、ボタン穴（１）を設けることを特徴とする留め具付きスカートでありボタン穴（１）はスカートの生地を突き抜くものが普通であるが、突き破らずともよい。【０００７】各自の標準サイズか、標準サイズよりやや大きめの、スカートの正面か裏面の外側、中心線上に、先端からボタン（２）かボタン穴（１）を２個がベストであるが１個か複数個着けた紐を末端で新たなボタン（５）とボタン穴（１）を用い唯一点のみを拘束することとし、該ボタン（２）かボタン穴（１）を１個か２個か複数個着けた紐のある側と、反対側のスカートの正面か裏面の外側に、それぞれボタン穴（１）かボタン（２）を１個か２個か複数個設けることを特徴とする留め具付きスカート。【０００８】請求項２に記載したスカートを通常のスカートとして用いる場合のために、前記の「紐」（４）をふら付かせない為、一枚の「紐」の裏表２箇所にボタン（５）を用意し、それぞれ用に２個ボタン穴（１）を用意することを特徴とする留め具付きスカート。【０００９】請求項１に記載したスカートの正面と裏面の内側、中心線上に、下から、片方はスカートの記事の表面から裏側を操作できるよう、ファスナーのスライダーの引き手とその動く範囲をスカートの表面にも出して置いた一対のファスナーと、ファスナーの終わる地点付近に、必要に応じて対のボタンとボタン穴をつけておき、該両面のファスナーとボタンを着け外しすることを特徴とする留め具付きスカート。
【発明の効果】
【・・・・】
【図面の簡単な説明】
【００１０】
【図１】留め具付きスカートの図
【図２】留め具付きスカートのボタンを縦に複数つけた図
【図３】図１の下から見た図
【図４】図２の下から見た図
【図５】留め具付きスカートのボタンを横に複数つけた図
【図６】留め具付きスカートのボタンを３つ三角形につけた図
【図７】図３のボタンを閉じた例の下から見た図
【図８】図５のボタンを閉じた例の下から見た図
【図９】留め具付きスカートのボタンをスカートの裏側に１個取り付けた場合の図（表）
【図１０】留め具付きスカートのボタンをスカートの裏側に２個取り付けた場合の図（裏）
【図１１】留め具付きスカートのファスナー付の図
【図１２】ファスナーを開いている場合のスカートのみを下から見た図
【図１３】ファスナーを閉じた場合ののスカートのみを下から見た図
【発明を実施するための形態】
【００１１】  発明品を装着しても、外観からはほぼ全く分からない、ということをまず一番目の特徴とする。
もちろん発明品を装着することをファッションとして主張する場合、いち例えばスカートの紐地と異なった色のボタン（２）、ファスナー、或はファスナー周りの紐等を付ける場合等を、二番目の特徴とする。
通常はボタンを着ける糸（３）の部分の長短で調節するのを基本とするが、特に長くなる場合、その為の紐（４）も考えてみた。
【００１２】又、本発明品を通常のスカートとして用いる場合のために、前記の「紐」（４）をふら付かせない為、一枚の紐の裏表２箇所にボタン（５）を用意し、それぞれ用に２個ボタン穴（１）を用意した、このボタンとボタン穴は逆でもよい。
それから、図９，１０で用いた「紐」（４）をスカートに留めるボタン（５）は「紐」（４）を前後どちらの方向にもスムーズに使えるようボタン（５）で一点のみを拘束することとし、その拘束範囲よりも大きく回転するボタン穴（１）を採用することによって、「紐」」は全方位に対して、スムーズに対処できる。
ここでボタン（５）は「紐」の側についていても、スカートの側についていてもよい。
【００１３】  最後に図１１，１２の請求項１に記載したスカートの正面と裏面の内側、中心線上に、下から、片方はスカートの記事の表面から裏側を操作できるよう、ファスナーのスライダーの引き手とその動く範囲をスカートの表面にも出して置いた。
【実施例】
【・・・・】
【記号の説明】
【００１４】１  ボタン穴
２  ボタン
３  ボタンを留める糸
４  紐
５  紐をスカートに繋ぎ止めるためのボタン
６  ファスナーの片一方でスカートの表から見える部分
７  ファスナーの片一方でスカートの裏の部分
８  ファスナーの他方でスカートの後ろ側の裏の部分
９  ファスナーのスライダーの引き手
【受託番号】
【・・・・】
【図１】
2011099194.tif 000003
【図２】
2011099194.tif 000004
【図３】
2011099194.tif 000005
【図４】
2011099194.tif 000006
【図５】
2011099194.tif 000007
【図６】
2011099194.tif 000008
【図７】
2011099194.tif 000009
【図８】
2011099194.tif 000010
【図９】
2011099194.tif 000011
【図１０】
2011099194.tif 000012
【図１１】
2011099194.tif 000013
【図１２】
2011099194.tif 000014
【図１３】
2011099194.tif 000015